(57)【特許請求の範囲】
【請求項１】
槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける槽体の任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
前記壁面の裏側より操作部本体２にナット部材２０を挿通し、当該ナット部材２０により該筒状部５に操作部本体２を取り付け固定したことを特徴とする、遠隔操作式排水栓装置。
【請求項２】
上記遠隔操作式排水栓装置において、
筒状部５の内側面に、周縁に沿って突出部分５ａを設け、
操作部本体２の外側面に沿ってフランジ部６を設けて、
突出部分５ａにフランジ部６を当接した状態で係止させることを特徴とする、請求項１に記載の遠隔操作式排水栓装置。
【請求項３】
上記遠隔操作式排水栓装置において、
筒状部５内部に、操作部本体２を収納可能とし、
操作部取付孔Ｈの内側面を、操作部本体２側面と同じか、それよりも内側に突出させると共に、
筒状部５内側面に操作部本体２外側面を係止させるように構成したことを特徴とする、
請求項１に記載の遠隔操作式排水栓装置。
【請求項４】
槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
筒状部５の内側面が、操作部取付孔Ｈの内側面と合致すると共に、
操作部本体２内部に、筒状部５を収納可能とし、
操作部本体２内側面に筒状部５外側面を係止させるようにして筒状部５に操作部本体２を取り付け固定したことを特徴とする、
遠隔操作式排水栓装置。
【請求項５】
上記遠隔操作式排水栓装置において、
筒状部５の側面に凹部分を設け、
操作部本体２の上方に爪部分７を設けて、
凹部分に爪部分７を嵌合させた後、爪部分７が凹部分より抜脱しないように固定することを特徴とする、
請求項３又は請求項４に記載の遠隔操作式排水栓装置。
【請求項６】
槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
操作部本体２内部に筒状部５を収納可能、若しくは、筒状部５内部に操作部本体２を収納可能とし、
操作部本体２又は筒状部５の内、内側に配置される部材の外側面に凹部を設け、
外側に配置される部材に貫通孔８を設けると共に、
貫通孔８を貫通し、凹部を係止した状態で固定される係止部材を備え、
筒状部５に操作部本体２を取り付け固定したことを特徴とする、遠隔操作式排水栓装置。
【請求項７】
上記遠隔操作式排水栓装置において、
貫通孔８に雌ネジ部９を設けると共に、係止部材を該雌ネジ部９と螺合する雄ネジ部１０を備えたビス部材１１とすることを特徴とする、請求項６に記載の遠隔操作式排水栓装置。
【請求項８】
槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
該筒状部５に操作部本体２を取り付け固定したことを特徴とする、遠隔操作式排水栓装置において、
操作部本体２と筒状部５の当接する側面同士のいずれか一方、又は両方に、周縁に沿って環状溝部１２を設け、
該環状溝部１２に環状パッキングＰを収納して、該環状パッキングＰが側面方向にて操作部本体２と筒状部５に当接することで、
操作部本体２と筒状部５とを水密的に接続することを特徴とする、遠隔操作式排水栓装置。
【発明の詳細な説明】
【技術分野】
【０００１】
本発明は洗面台、流し台、浴槽などの槽体の底面に設けられた排水口を、遠隔操作により開閉する、遠隔操作式排水栓装置に関するものであって、更に詳しくは、遠隔操作式排水栓装置の操作部の取り付け構造に関するものである。
【背景技術】
【０００２】
従来より、本発明は洗面台、流し台、浴槽などの槽体の底面には、排水を下水側に排出するために、排水口を備えた排水装置が備えられている。これらのうち、特に排水口から離れた場所に備えた操作部に操作を加えることで、排水口の開閉を行う事が出来る排水装置を、特に、遠隔操作式排水栓装置と呼ぶ。以下に遠隔操作式排水栓装置の従来例を、図１８を参照しつつ説明する。
【０００３】
図１８に図示した操作部を採用した従来例の遠隔操作式排水栓装置は、以下に記載した排水栓本体、弁部材、弁支持部材、レリースワイヤ、操作部、エルボ部材、より構成されてなる。
排水栓本体は、内部に排水口を形成する略円筒形状の部材であって、その外側面に雄ネジを備えてなる。
弁部材は、上記排水口を閉口する円盤状の弁体と、該弁体の下面中央に設けられた弁嵌合部よりなる。
弁支持部材は、排水口内に収納固定される部材であって、後述するレリースワイヤの端部を固定した状態で、排水口内に収納固定される。
レリースワイヤは、側面方向に可撓性を備え軸方向に剛性を備えた中空のアウターチューブと、該アウターチューブ内部に収納され、軸方向に摺動自在に動作するインナーワイヤと、インナーワイヤの一方の端部に備えられ、その先端が上記弁体の嵌合部に嵌合する弁軸部と、インナーワイヤを操作部側に付勢するスプリング部材（図示せず）と、からなる。
エルボ部材は、排水栓本体の雄ネジと螺合する雌ネジを設けた開口部、前記排水口から流れ込む排水を下水側に排出するための排出口、及びレリースワイヤを挿通する挿通筒を備えてなる。
操作部は、以下に記載する操作部本体と、ナット部材と、操作軸支持部と、操作体からなる。
操作部本体は、略円筒形状にして、円筒形状の上端部分の外側面には周縁に沿って連続して外側方向に突出したフランジ部を、円筒形状の下端部分の内側面には周縁に沿って連続して内側方向に突出した突出部分を、それぞれ設けてなる。また、操作部本体の側面であって、フランジ部の下方に雄ネジ部を備えてなる。
ナット部材は、操作部本体の雄ネジ部と螺合する雌ネジ部を備えてなる。
操作軸支持部は、棒状の操作軸と、筒状のケーシングであって、該操作軸を軸方向にスライド可能に収納する軸収納部と、から構成される。また、操作軸支持部の下端にはレリースワイヤのアウターチューブを接続固定する事が可能に構成されている。操作軸支持部の下端にアウターチューブを接続固定した際には、インナーワイヤ端部が、操作軸下端に対向して当接するように配置される。
更にこの従来例では、上記軸収納部に、スラストロック機構と呼ばれる、操作軸に押し込み操作を加える毎に、操作軸を前進（降下）して固定／固定を解除してレリースワイヤのインナーワイヤに付勢されて後退（上昇）、を繰り返す機械的機構部を備えてなる。
操作体は、円盤状の部材であって、その外側面の形状は、操作部本体の内側面にほぼ合致すると共に、その下面中央に操作軸部先端と嵌合する操作体嵌合部を備えてなる。
また、上記各部材からなる遠隔操作式排水栓装置は、以下に記載したような槽体である浴槽に施工される。
浴槽は、上方が開口した箱体であって、底面には排水栓を取り付ける排水栓取付孔を、上方の開口の周縁には操作部を取り付ける操作部取付孔を、それぞれ設けてなる。
【０００４】
上記のように構成した遠隔操作式排水栓装置を槽体である浴槽に取り付ける場合、まず、浴槽等に設けた排水栓取付孔の周縁を介して排水栓本体とエルボ部材を螺合させ、排水栓取付孔に排水栓本体とエルボ部材を取り付け固定する。
次に、浴槽上縁部に設けられた操作部取付孔に、操作部本体を挿通し、操作部取付孔の周縁上面に、操作部本体のフランジ部下面が当接した状態で、下方からナット部材を操作部本体に螺合させて、操作部取付孔の周縁をフランジ部とナット部材とで挟持させて、操作部本体を操作部取付孔に取り付け固定する。
更にレリースワイヤを、操作軸支持部材に接続した上で、弁軸側から操作部本体に挿入し、操作部本体内に操作軸支持部材を収納固定する。
また、レリースワイヤの先端を、エルボ部材の挿通筒に挿通した上で、排水口内部から、ラジオペンチなどの治具を利用しつつ、浴槽内部側に引き上げる。
この状態より、レリースワイヤの端部を弁支持部材に接続し、更に弁支持部材を排水口内に取り付け固定する。その後、インナーワイヤ端部の弁軸部を、弁部材の弁嵌合部に嵌合させる。
更に操作軸の上端に、操作体の操作体嵌合部を嵌合させて、遠隔操作式排水栓装置の取り付けが完了する。
【０００５】
上記従来例の遠隔操作式排水栓装置を使用する場合、まず操作部の操作体に操作を加えて弁体が排水口を閉口した状態、即ちレリースワイヤのインナーワイヤが操作部側に後退し、弁部材が降下した状態とする。この状態より操作体に押し込み操作を加えて、インナーワイヤを排水口側に前進させると、インナーワイヤ先端の弁軸部が上昇して弁部材を押上げ、弁体が上昇して排水口を開口する。この開口状態は、スラストロック機構によって操作軸が降下した状態で固定され、操作軸下端がインナーワイヤ端部を前進させた状態で当接することで維持される。
この状態より操作体に再度押し込み操作を加えてスラストロック機構の操作軸の固定状態を解除すると、弁部材の自重や戻りスプリングの作用により、インナーワイヤが操作部側に後退し、弁軸部が下降するため、弁軸部に押し上げられていた弁部材も降下して弁体が排水口を閉口する。以後この操作を繰り返すことで排水口の開閉を自在に操作することができる。
【０００６】
【特許文献１】特開２００２−８８８５３号公報
【発明の開示】
【発明が解決しようとする課題】
【０００７】
上記従来例の手法によれば、操作部を取り付ける操作部取付孔を備えた壁面と、操作部本体（特にフランジ部）との間に、継ぎ目部分が生じることとなる。
フランジ部分と槽体内面とは素材が異なる場合が多く、色調、質感に相違が生じて意匠性が悪くなる。また、継ぎ目部分はデザイン的には不要な凹凸であり、決して見栄えが良い物ではなく、この点でも意匠性が悪化する。
また、この継ぎ目部分に槽体内の排水などが触れると、表面張力によってそのまま排水が残り、排水が蒸発した時排水中のゴミや塵芥などが付着する、といった問題がある。また継ぎ目部分の端部は小さな段差になり、ブラシ等が入れにくく、清掃性がきわめて悪くなる、といった問題もあった。
本発明は、上記の課題に鑑みて成されたものであり、その目的とする処は、遠隔操作式排水栓装置において、遠隔操作式排水栓装置の操作部とその取付箇所の間に、フランジ部等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くできる遠隔操作式排水栓装置を提供することである。
【課題を解決するための手段】
【０００８】
請求項１に記載の本発明は、槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける槽体の任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
前記壁面の裏側より操作部本体２にナット部材２０を挿通し、当該ナット部材２０により該筒状部５に操作部本体２を取り付け固定したことを特徴とする、遠隔操作式排水栓装置である。
【０００９】
請求項２に記載の本発明は、上記遠隔操作式排水栓装置において、
筒状部５の内側面に、周縁に沿って突出部分５ａを設け、
操作部本体２の外側面に沿ってフランジ部６を設けて、
突出部分５ａにフランジ部６を当接した状態で係止させることを特徴とする、段落０００８に記載の遠隔操作式排水栓装置である。
【００１０】
請求項３に記載の本発明は、上記遠隔操作式排水栓装置において、
筒状部５内部に、操作部本体２を収納可能とし、
操作部取付孔Ｈの内側面を、操作部本体２側面と同じか、それよりも内側に突出させると共に、
筒状部５内側面に操作部本体２外側面を係止させるように構成したことを特徴とする、
段落０００８に記載の遠隔操作式排水栓装置である。
【００１１】
請求項４に記載の本発明は、槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
筒状部５の内側面が、操作部取付孔Ｈの内側面と合致すると共に、
操作部本体２内部に、筒状部５を収納可能とし、
操作部本体２内側面に筒状部５外側面を係止させるようにして筒状部５に操作部本体２を取り付け固定したことを特徴とする、
遠隔操作式排水栓装置である。
【００１２】
請求項５に記載の本発明は、上記遠隔操作式排水栓装置において、
筒状部５の側面に凹部分を設け、
操作部本体２の上方に爪部分７を設けて、
凹部分に爪部分７を嵌合させた後、爪部分７が凹部分より抜脱しないように固定することを特徴とする、
段落００１０又は段落００１１に記載の遠隔操作式排水栓装置である。
【００１３】
請求項６に記載の本発明は、槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
操作部本体２内部に筒状部５を収納可能、若しくは、筒状部５内部に操作部本体２を収納可能とし、
操作部本体２又は筒状部５の内、内側に配置される部材の外側面に凹部を設け、
外側に配置される部材に貫通孔８を設けると共に、
貫通孔８を貫通し、凹部を係止した状態で固定される係止部材を備え、
筒状部５に操作部本体２を取り付け固定したことを特徴とする、遠隔操作式排水栓装置である。
【００１４】
請求項７に記載の本発明は、上記遠隔操作式排水栓装置において、
貫通孔８に雌ネジ部９を設けると共に、係止部材を該雌ネジ部９と螺合する雄ネジ部１０を備えたビス部材１１とすることを特徴とする、段落００１３に記載の遠隔操作式排水栓装置である。
【００１５】
請求項８に記載の本発明は、槽体の底面に設けられた排水口１を遠隔的に開閉する、遠隔操作式排水栓装置であって、
遠隔操作式排水栓装置の操作部を、
筒形状を成す操作部本体２と、
操作部本体２内部に収納される操作軸支持部３と、
操作部本体２を取り付ける任意の壁面に設けた操作部取付孔Ｈと、
操作軸支持部３に接続される操作部取付孔Ｈ内側面とほぼ同じ形状を成す操作体４と、
該操作部取付孔Ｈの周囲に備えた、壁面の裏側に突出する筒状部５と、から成り、
該筒状部５に操作部本体２を取り付け固定したことを特徴とする、遠隔操作式排水栓装置において、
操作部本体２と筒状部５の当接する側面同士のいずれか一方、又は両方に、周縁に沿って環状溝部１２を設け、
該環状溝部１２に環状パッキングＰを収納して、該環状パッキングＰが側面方向にて操作部本体２と筒状部５に当接することで、
操作部本体２と筒状部５とを水密的に接続することを特徴とする、遠隔操作式排水栓装置である。
【発明の効果】
【００１６】
本発明においては、遠隔操作式排水栓装置において、操作部本体を取り付ける筒状部を、任意の壁面の裏側に設けてなる。これによって、壁面の表側等、遠隔操作式排水栓装置の操作部とその取付箇所の間に、フランジ部等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くすることができるようになった。
【図面の簡単な説明】
【００１７】
【図１】第一実施例の遠隔操作式排水栓装置を示す、一部を切り欠きした参考図である。
【図２】第一実施例の操作部近傍を示す、一部を切り欠きした参考図である。
【図３】図２の参考図において、操作体が押し込まれた状態を示す参考図である。
【図４】第一実施例の操作部の、部材構成を示す参考図である。
【図５】第二実施例の操作部近傍を示す、一部を切り欠きした参考図である。
【図６】図５の参考図において、操作体が押し込まれた状態を示す参考図である。
【図７】第二実施例の操作部の、部材構成を示す参考図である。
【図８】第三実施例の操作部近傍を示す、一部を切り欠きした参考図である。
【図９】図８の参考図において、操作体が押し込まれた状態を示す参考図である。
【図１０】第三実施例の操作部の、部材構成を示す参考図である。
【図１１】第三実施例の操作部本体の、一部を切り欠きした斜視図である。
【図１２】第四実施例の遠隔操作式排水栓装置を示す、一部を切り欠きした参考図である。
【図１３】第四実施例の操作部近傍を示す、一部を切り欠きした参考図である。
【図１４】図１３の参考図において、操作体が押し込まれた状態を示す参考図である。
【図１５】第四実施例の操作部の、部材構成を示す参考図である。
【図１６】第四実施例の操作部本体の、一部を切り欠きした斜視図である。
【図１７】図１３のＡ−Ａ断面図である。
【図１８】従来の遠隔操作式排水栓装置を示す、一部を切り欠きした参考図である。
【実施例】
【００１８】
図１乃至図４に図示した操作部を採用した第一実施例の遠隔操作式排水栓装置は、以下に記載した排水栓本体１３、弁部材１４、弁支持部材１５、レリースワイヤ１６、操作部、エルボ部材１７、より構成されてなる。
排水栓本体１３は、内部に排水口１を形成する略円筒形状の部材であって、その外側面に雄ネジを備えてなる。
弁部材１４は、上記排水口１を閉口する円盤状の弁体１４ａと、該弁体１４ａの下面中央に設けられた弁嵌合部１４ｂよりなる。
弁支持部材１５は、排水口１内に収納固定される部材であって、後述するレリースワイヤ１６の端部を固定した状態で、排水口１内に収納固定される。
レリースワイヤ１６は、側面方向に可撓性を備え軸方向に剛性を備えた中空のアウターチューブ１６ａと、該アウターチューブ１６ａ内部に収納され、軸方向に摺動自在に動作するインナーワイヤ１６ｂと、インナーワイヤ１６ｂの一方の端部に備えられ、その先端が上記弁体１４ａの嵌合部に嵌合する弁軸部１６ｃと、インナーワイヤ１６ｂを操作部側に付勢するスプリング部材（図示せず）と、からなる。
エルボ部材１７は、排水栓本体１３の雄ネジと螺合する雌ネジを設けた開口部、前記排水口１から流れ込む排水を下水側に排出するための排出口１８、及びレリースワイヤ１６を挿通する挿通筒１９を備えてなる。
操作部は、以下に記載する操作部本体２と、ナット部材２０と、操作軸支持部３と、操作体４と、操作部本体２を取り付ける浴槽Ｂの一部から構成される。
操作部本体２は、略円筒形状にして、円筒形状の上端部分の外側面には周縁に沿って連続して外側方向に突出したフランジ部６を設けてなる。また、操作部本体２の側面であって、フランジ部６の下方に雄ネジ部１０を備えてなる。
ナット部材２０は、操作部本体２の雄ネジ部１０と螺合する雌ネジ部９を備えてなる。
操作軸支持部３は、棒状の操作軸２１と、筒状のケーシングであって、該操作軸２１を軸方向にスライド可能に収納する軸収納部２２と、から構成される。また、操作軸支持部３の下端にはレリースワイヤ１６のアウターチューブ１６ａを接続固定する事が可能に構成されている。操作軸支持部３の下端にアウターチューブ１６ａを接続固定した際には、インナーワイヤ１６ｂ端部が、操作軸２１下端に対向して当接するように配置される。更にこの実施例では、上記軸収納部２２に、スラストロック機構と呼ばれる、操作軸２１に押し込み操作を加える毎に、操作軸２１を前進（降下）して固定／固定を解除してレリースワイヤ１６のインナーワイヤ１６ｂに付勢されて後退（上昇）、を繰り返す機械的機構部を備えてなる。
操作体４は、円盤状の部材であって、その外側面の形状は、後述する浴槽Ｂの筒状部５の内側面形状にほぼ合致すると共に、その下面中央に操作軸２１部先端と嵌合する操作体嵌合部４ａを備えてなる。
また、上記各部材からなる遠隔操作式排水栓装置は、以下に記載したような槽体である浴槽Ｂに施工される。
浴槽Ｂは、上方が開口した箱体であって、底面には排水栓を取り付ける排水栓取付孔を備えてなる。また、浴槽Ｂの上方の開口の周縁には、操作部本体２を取り付けるために、任意の壁面に設けた操作部取付孔Ｈと、該操作部取付孔Ｈの周囲に沿って備えた、壁面の裏側に突出する筒状部５と、筒状部５の下方内側面に、周縁に沿って突出部分５ａを設けてなる。該突出部分５ａの内径は、操作部本体２の外側面よりも大径で、フランジ部６の外側面よりも小径である。
【００１９】
上記のように構成した遠隔操作式排水栓装置を槽体である浴槽Ｂに取り付ける場合、まず、浴槽Ｂ等に設けた排水栓取付孔の周縁を介して排水栓本体１３とエルボ部材１７を螺合させ、排水栓取付孔に排水栓本体１３とエルボ部材１７を取り付け固定する。
次に、浴槽Ｂ上縁部に設けられた操作部取付孔Ｈから、突出部分５ａの内側部分を介して、操作部本体２を挿通し、突出部分５ａの周縁上面に、操作部本体２のフランジ部６下面が当接した状態で、下方からナット部材２０を操作部本体２に螺合させて、突出部分５ａの周縁をフランジ部６とナット部材２０とで挟持させて、操作部本体２を槽体の筒状部５に取り付け固定する。
更にレリースワイヤ１６を、操作軸支持部３材に接続した上で、弁軸側から操作部本体２に挿入し、操作部本体２内に操作軸支持部３材を収納固定する。
また、レリースワイヤ１６の先端を、エルボ部材１７の挿通筒１９を介してエルボ部材１７内部に挿通した上で、排水口１内部から、ラジオペンチなどの治具を利用しつつ、浴槽Ｂ内部側に引き上げる。
この状態より、レリースワイヤ１６の端部を弁支持部材１５に接続し、更に弁支持部材１５を排水口１内に取り付け固定する。その後、インナーワイヤ１６ｂ端部の弁軸部１６ｃを、弁部材１４の弁嵌合部１４ｂに嵌合させる。
更に操作軸２１の上端に、操作体４の操作体嵌合部４ａを嵌合させて、遠隔操作式排水栓装置の取り付けが完了する。
【００２０】
上記第一実施例の遠隔操作式排水栓装置を使用する場合、まず操作部の操作体４に操作を加えて弁体１４ａが排水口１を閉口した状態、即ちレリースワイヤ１６のインナーワイヤ１６ｂが操作部側に後退し、弁部材１４が降下した状態とする。この状態より操作体４に押し込み操作を加えて、インナーワイヤ１６ｂを排水口１側に前進させると、インナーワイヤ１６ｂ先端の弁軸部１６ｃが上昇して弁部材１４を押上げ、弁体１４ａが上昇して排水口１を開口する。この開口状態は、スラストロック機構によって操作軸２１が降下した状態で固定され、操作軸２１下端がインナーワイヤ１６ｂ端部を前進させた状態で当接することで維持される。
この状態より操作体４に再度押し込み操作を加えてスラストロック機構の操作軸２１の固定状態を解除すると、弁部材１４の自重や戻りスプリングの作用により、インナーワイヤ１６ｂが操作部側に後退し、弁軸部１６ｃが下降するため、弁軸部１６ｃに押し上げられていた弁部材１４も降下して弁体１４ａが排水口１を閉口する。以後この操作を繰り返すことで排水口１の開閉を自在に操作することができる。
【００２１】
上記のように構成した遠隔操作式排水栓装置においては、操作部本体２はフランジ部６を備えているものの、操作体４と浴槽Ｂの周縁の壁面等の影となり、使用者から目視することはできない。このため、壁面の表側等、遠隔操作式排水栓装置の操作部とその取付箇所の間に、フランジ部６等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くすることができるようになった。
【００２２】
次に、本発明の第二実施例を、図面を参照しつつ説明する。
図５乃至図７に図示した操作部を採用した第二実施例の遠隔操作式排水栓装置は、段落００１８に記載した、第一実施例の排水栓本体１３、弁部材１４、弁支持部材１５、レリースワイヤ１６、エルボ部材１７と同じ各部材と、以下に記載する、浴槽Ｂを含む操作部より構成されてなる。（尚、排水栓本体１３など、排水口１の近傍は第一実施例と同様のため、５乃至図７は操作部とその近傍のみ図示してなる。）
操作部は、以下に記載する操作部本体２と、ナット部材２０と、操作軸支持部３と、操作体４と、操作部本体２を取り付ける浴槽Ｂの一部から構成される。
操作部本体２は、略円筒形状にして、円筒形状の上端部分の外側面には周縁に沿って連続して外側方向に突出したフランジ部６を設けてなる。
操作軸支持部３は、棒状の操作軸２１と、筒状のケーシングであって、該操作軸２１を軸方向にスライド可能に収納する軸収納部２２と、から構成される。
また、操作軸支持部３の下端にはレリースワイヤ１６のアウターチューブ１６ａを接続固定する事が可能に構成されている。操作軸支持部３の下端にアウターチューブ１６ａを接続固定した際には、インナーワイヤ１６ｂ端部が、操作軸２１下端に対向して当接するように配置される。
更にこの実施例では、上記軸収納部２２に、第一実施例に記載したスラストロック機構を備えてなる。
操作体４は、円盤状の部材であって、その外側面の形状は、後述する浴槽Ｂの筒状部５の内側面にほぼ合致すると共に、その下面中央に操作軸２１部先端と嵌合する操作体嵌合部４ａを備えてなる。
また、上記各部材からなる遠隔操作式排水栓装置は、以下に記載したような槽体である浴槽Ｂに施工される。
浴槽Ｂは、上方が開口した箱体であって、底面には排水栓を取り付ける排水栓取付孔を備えてなる。また、浴槽Ｂの上方の開口の周縁には、操作部本体２を取り付けるために、任意の壁面に設けた操作部取付孔Ｈと、該操作部取付孔Ｈの周囲に沿って備えた、壁面の裏側に突出する筒状部５と、筒状部５の下方内側面に、周縁に沿って突出部分５ａを設けてなる。該突出部分５ａの内径は、操作部本体２のフランジ部６の外側面の周縁よりも小径である。
また、筒状部５の外側面の下方に雄ネジ部１０を備えてなる。
ナット部材２０は、断面Ｌ字形状を成す、袋ナットと呼ばれる形状の部材であって、筒状部５の雄ネジ部１０と螺合する雌ネジ部９を備えてなる。
【００２３】
上記のように構成した遠隔操作式排水栓装置を槽体である浴槽Ｂに取り付ける場合、まず、浴槽Ｂ等に設けた排水栓取付孔の周縁を介して排水栓本体１３とエルボ部材１７を螺合させ、排水栓取付孔に排水栓本体１３とエルボ部材１７を取り付け固定する。
次に、浴槽Ｂ裏側側面から、操作部本体２のフランジ部６上面を、突出部分５ａの周縁下面に当接させた状態で、下方からナット部材２０を操作部本体２に螺合させる。これにより、図５に示したように、操作部本体２のフランジ部６を、突出部分５ａの下面とナット部材２０とで挟持させて、操作部本体２を槽体の筒状部５に取り付け固定する。
更にレリースワイヤ１６を、操作軸支持部３材に接続した上で、弁軸側から操作部本体２に挿入し、操作部本体２内に操作軸支持部３材を収納固定する。
また、レリースワイヤ１６の先端を、エルボ部材１７の挿通筒１９を介してエルボ部材１７内部に挿通した上で、排水口１内部から、ラジオペンチなどの治具を利用しつつ、浴槽Ｂ内部側に引き上げる。
この状態より、レリースワイヤ１６の端部を弁支持部材１５に接続し、更に弁支持部材１５を排水口１内に取り付け固定する。その後、インナーワイヤ１６ｂ端部の弁軸部１６ｃを、弁部材１４の弁嵌合部１４ｂに嵌合させる。
更に操作軸２１の上端に、操作体４の操作体嵌合部４ａを嵌合させて、遠隔操作式排水栓装置の取り付けが完了する。
【００２４】
上記第二実施例の遠隔操作式排水栓装置は、段落００２０に記載した、第一実施例の遠隔操作式排水栓装置と同様に操作を行い、遠隔操作により排水口１を開閉することができる。また、壁面の表側等、遠隔操作式排水栓装置の操作部とその取付箇所の間に、フランジ部６等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くすることができるようになった。
【００２５】
次に、本発明の第三実施例を、図面を参照しつつ説明する。
図８乃至図１１に図示した操作部を採用した第三実施例の遠隔操作式排水栓装置は、段落００１８に記載した、第一実施例の排水栓本体１３、弁部材１４、弁支持部材１５、レリースワイヤ１６、エルボ部材１７と同じ各部材と、以下に記載する、浴槽Ｂを含む操作部より構成されてなる。（尚、排水栓本体１３など、排水口１の近傍は第一実施例と同様のため、８乃至図１１は操作部とその近傍のみ図示してなる。）
操作部は、以下に記載する操作部本体２と、ナット部材２０と、操作軸支持部３と、操作体４と、操作部本体２を取り付ける浴槽Ｂの一部から構成される。
操作部本体２は、図１１等に示したように、略円筒形状にして、円筒形状の上端部分に周縁に沿って、先端が内側に突出する突起７ａを備えた爪部分７を備えてなる。当該爪部分７には上下方向（円筒の軸方向）に切り欠き２３を設けて拡径可能に構成すると共に、その外側面に雄ネジ部１０を形成してなる。
操作軸支持部３は、棒状の操作軸２１と、筒状のケーシングであって、該操作軸２１を軸方向にスライド可能に収納する軸収納部２２と、から構成される。また、操作軸支持部３の下端にはレリースワイヤ１６のアウターチューブ１６ａを接続固定する事が可能に構成されている。操作軸支持部３の下端にアウターチューブ１６ａを接続固定した際には、インナーワイヤ１６ｂ端部が、操作軸２１下端に対向して当接するように配置される。
更にこの実施例では、上記軸収納部２２に、第一実施例に記載したスラストロック機構を備えてなる。
操作体４は、円盤状の部材であって、その外側面の形状は、後述する浴槽Ｂの筒状部５の内側面にほぼ合致すると共に、その下面中央に操作軸２１部先端と嵌合する操作体嵌合部４ａを備えてなる。
また、上記各部材からなる遠隔操作式排水栓装置は、以下に記載したような槽体である浴槽Ｂに施工される。
浴槽Ｂは、上方が開口した箱体であって、底面には排水栓を取り付ける排水栓取付孔を備えてなる。また、浴槽Ｂの上方の開口の周縁には、操作部本体２を取り付けるために、任意の壁面に設けた操作部取付孔Ｈと、該操作部取付孔Ｈの周囲に沿って備えた、壁面の裏側に突出する筒状部５を設けてなる。
該筒状部５の外径は、操作部本体２の内径とほぼ同じ径であり、操作部本体２内部に筒状部５が収納可能なように若干だけ操作部本体２の内径の方が大径である。また、筒状部５の外側面に、上下幅が爪部分７の先端とほぼ同じ幅の環状溝部１２を、周縁に沿って連続して備えてなる。
ナット部材２０は、操作部本体２の雄ネジ部１０と螺合する雌ネジ部９を備えてなる。
【００２６】
上記のように構成した遠隔操作式排水栓装置を槽体である浴槽Ｂに取り付ける場合、まず、浴槽Ｂ等に設けた排水栓取付孔の周縁を介して排水栓本体１３とエルボ部材１７を螺合させ、排水栓取付孔に排水栓本体１３とエルボ部材１７を取り付け固定する。
次に、浴槽Ｂ裏側側面から、操作部本体２を、操作部本体２内部に筒状部５が収納されるように挿入する。この時爪部分７の先端が筒部分に接触するが、切り欠き２３によって爪部分７は拡径可能となっているため、爪部分７が支障無く拡径して、操作部本体２内部に筒状部５を挿入することができる。挿入を続けると、爪部分７の先端が環状溝部１２に入り込んで嵌合する。この状態から爪部材の拡径を防ぎ、爪部材を環状溝部１２に固定するために、爪部材の外側面の雄ネジ部１０に、ナット部材２０を螺合させて固定する。
更にレリースワイヤ１６を、操作軸支持部３材に接続した上で、弁軸側から操作部本体２に挿入し、操作部本体２内に操作軸支持部３材を収納固定する。
また、レリースワイヤ１６の先端を、エルボ部材１７の挿通筒１９を介してエルボ部材１７内部に挿通した上で、排水口１内部から、ラジオペンチなどの治具を利用しつつ、浴槽Ｂ内部側に引き上げる。
この状態より、レリースワイヤ１６の端部を弁支持部材１５に接続し、更に弁支持部材１５を排水口１内に取り付け固定する。その後、インナーワイヤ１６ｂ端部の弁軸部１６ｃを、弁部材１４の弁嵌合部１４ｂに嵌合させる。
更に操作軸２１の上端に、操作体４の操作体嵌合部４ａを嵌合させて、遠隔操作式排水栓装置の取り付けが完了する。
【００２７】
上記第三実施例の遠隔操作式排水栓装置は、段落００２０に記載した、第一実施例の遠隔操作式排水栓装置と同様に操作を行い、遠隔操作により排水口１を開閉することができる。また、壁面の表側等、遠隔操作式排水栓装置の操作部とその取付箇所の間に、フランジ部６等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くすることができるようになった。
【００２８】
次に、本発明の第四実施例を、図面を参照しつつ説明する。
図１２乃至図１７に図示した操作部を採用した第四実施例の遠隔操作式排水栓装置は、以下に記載した排水栓本体１３、弁部材１４、弁支持部材１５、レリースワイヤ１６、操作部、エルボ部材１７、チューブ菅、より構成されてなる。
排水栓本体１３は、内部に排水口１を形成する略円筒形状の部材であって、その外側面に雄ネジを備えてなる。
弁部材１４は、上記排水口１を閉口する円盤状の弁体１４ａと、該弁体１４ａの下面中央に設けられた弁嵌合部１４ｂよりなる。
弁支持部材１５は、排水口１内に収納固定される部材であって、後述するレリースワイヤ１６の端部を固定した状態で、排水口１内に収納固定される。
レリースワイヤ１６は、側面方向に可撓性を備え軸方向に剛性を備えた中空のアウターチューブ１６ａと、該アウターチューブ１６ａ内部に収納され、軸方向に摺動自在に動作するインナーワイヤ１６ｂと、インナーワイヤ１６ｂの一方の端部に備えられ、その先端が上記弁体１４ａの嵌合部に嵌合する弁軸部１６ｃと、インナーワイヤ１６ｂを操作部側に付勢するスプリング部材（図示せず）と、からなる。
エルボ部材１７は、排水栓本体１３の雄ネジと螺合する雌ネジを設けた開口部、前記排水口１から流れ込む排水を下水側に排出するための排出口１８、及びレリースワイヤ１６を挿通する挿通筒１９を備えてなる。
チューブ菅は、側面方向に可撓性を備え、軸方向に剛性を備えた中空の管体であって、一端は操作部本体２の下方外側面に、他端は挿通筒１９の外側面に、それ水密的に接続される。
操作部は、以下に記載する操作部本体２と、操作軸支持部３と、操作体４と、操作部本体２を取り付ける浴槽Ｂの一部から構成される。
操作部本体２は、図１６等に示したように、略円筒形状にして、円筒形状の外側面には周縁に沿って連続して２ヶ所環状溝部１２を備えてなる。
また２つの環状溝部１２のうち、上方の環状溝部１２には、操作部本体２側面より若干突出する環状パッキングＰを備えてなる。また下方の環状溝部１２は凹部として機能する。
操作軸支持部３は、棒状の操作軸２１と、筒状のケーシングであって、該操作軸２１を軸方向にスライド可能に収納する軸収納部２２と、から構成される。
また、操作軸支持部３の下端にはレリースワイヤ１６のアウターチューブ１６ａを接続固定する事が可能に構成されている。操作軸支持部３の下端にアウターチューブ１６ａを接続固定した際には、インナーワイヤ１６ｂ端部が、操作軸２１下端に対向して当接するように配置される。
更にこの実施例では、上記軸収納部２２に、第一実施例に記載したスラストロック機構を備えてなる。
操作体４は、円盤状の部材であって、その外側面の形状は、操作部取付孔Ｈの内側面にほぼ合致すると共に、その下面中央に操作軸２１部先端と嵌合する操作体嵌合部４ａを備えてなる。
また、上記各部材からなる遠隔操作式排水栓装置は、以下に記載したような槽体である浴槽Ｂに施工される。
浴槽Ｂは、上方が開口した箱体であって、底面には排水栓を取り付ける排水栓取付孔を備えてなる。また、浴槽Ｂの上方の開口の周縁には、操作部本体２を取り付けるために、任意の壁面に設けた円形の操作部取付孔Ｈを備えてなる。更に、該操作部取付孔Ｈの壁面の裏側には、その内側面の径が操作部本体２の外側面の径とほぼ同じで、環状パッキングＰの外側面の周縁より若干小径となる略円筒形状を成す筒状部５を備えてなる。筒状部５と操作部取付孔Ｈは同心円上に配置されているが、操作部取付孔Ｈの内側面の径は操作部本体２の内側面の径と同じように設けられている。
また、筒状部５の外側面には同じ高さ位置に３ヶ所、雌ネジ部９を有した貫通孔８を備えてなる。
また、該雌ネジ部９と螺合する雄ネジ部１０を備えた、係止部材としてのビス部材１１を備えてなる。
【００２９】
上記のように構成した遠隔操作式排水栓装置を槽体である浴槽Ｂに取り付ける場合、まず、浴槽Ｂ等に設けた排水栓取付孔の周縁を介して排水栓本体１３とエルボ部材１７を螺合させ、排水栓取付孔に排水栓本体１３とエルボ部材１７を取り付け固定する。
次に、浴槽Ｂ裏側側面から、操作部本体２を、筒状部５内部に操作部本体２が収納されるように挿入する。操作部本体２を挿通し、凹部として機能する下方の環状溝部１２が、貫通孔８と同じ高さ位置となった状態で、貫通孔８にビス部材１１を螺合させると、ビス部材１１の先端が環状溝部１２内に突出し、筒状部５内側面に操作部本体２外側面が係止固定される。更にチューブ菅の一端を操作部本体２の下方外側面に、他端を挿通筒１９の外側面に、それぞれ接続させる。
更にレリースワイヤ１６を、操作軸支持部３材に接続した上で、弁軸側から操作部本体２に挿入し、操作部本体２内に操作軸支持部３材を収納固定する。
この時、レリースワイヤ１６はチューブ管２４にガイドされ、レリースワイヤ１６の先端が、挿通筒１９を介しエルボ部材１７内部に突出する。この状態より、レリースワイヤ１６の先端を、排水口１内部から、ラジオペンチなどの治具を利用しつつ、浴槽Ｂ内部側に引き上げる。
この状態より、レリースワイヤ１６の端部を弁支持部材１５に接続し、更に弁支持部材１５を排水口１内に取り付け固定する。その後、インナーワイヤ１６ｂ端部の弁軸部１６ｃを、弁部材１４の弁嵌合部１４ｂに嵌合させる。
更に操作軸２１の上端に、操作体４の操作体嵌合部４ａを嵌合させて、遠隔操作式排水栓装置の取り付けが完了する。
【００３０】
上記第四実施例の遠隔操作式排水栓装置は、段落００２０に記載した、第一実施例の遠隔操作式排水栓装置と同様に操作を行い、遠隔操作により排水口１を開閉することができる。また、壁面の表側等、遠隔操作式排水栓装置の操作部とその取付箇所の間に、フランジ部６等の段差部分を生じさせることなく操作部を取り付け、色調・質感の差異や段差など、清掃性や意匠性の悪化を生じさせる構造を無くし、ゴミや、汚水等が溜まり難く、ひいては清掃性が良く、且つ意匠性を良くすることができるようになった。
更に、上記のように構成した遠隔操作式排水栓装置では、レリースワイヤ１６が破損等して交換が必要になった場合、操作体４と弁部材１４を取り外し、弁支持部材１５からレリースワイヤ１６を取り外して、操作部側から引き出すことで、破損したレリースワイヤ１６を取り外す事ができる。この後、取り付け時の手順を繰り返すことで、レリースワイヤ１６を破損したものから、破損のない新しいレリースワイヤ１６に交換できる。この破損したレリースワイヤ１６の取り外しと交換作業は、全て浴槽Ｂの表側から行うことができ、浴槽Ｂを一部解体して浴槽Ｂの裏側に手を加えるなどの必要がなく、メンテナンスを容易に行うことができる。また、環状パッキングＰを利用して操作部からチューブ管２４、エルボ部材１７まで漏水が生じないように構成しているため、浴槽Ｂ下の床面等、浴槽Ｂの裏面側に漏水が生じる事が無く、漏水よってカビが生じたり、床面が痛む、と言った問題が生じない。
【００３１】
本発明の実施例は以上のようであるが、本発明は上記実施例に限定されるものではなく、主旨を変更しない範囲において自由に変更が可能である。
例えば、上記実施例では、排水配管が備えられる槽体を浴槽Ｂとしているが、本発明は上記実施例に限定されるものではなく、洗面台の洗面ボウル、流し台のシンクなど他の槽体に使用してももちろん構わない。
また上記実施例の遠隔操作式排水栓装置では、スラストロック機構を備え、操作体４を押し込むことで排水口１の開閉を行うように構成されているが、本発明は上記実施例に限定されるものではなく、スラストロック機構を省略し、操作体４から操作軸２１、インナーワイヤ１６ｂ、弁軸、弁部材１４までを嵌合などにより固定させ、操作体４を押し引きすることで排水口１を開閉するように構成しても良い。
【符号の説明】
【００３２】
１      排水口
２      操作部本体
３      操作軸支持部
４      操作体
４ａ    操作体嵌合部
５      筒状部
５ａ    突出部分
６      フランジ部
７      爪部分
７ａ    突起
８      貫通孔
９      雌ネジ部
１０    雄ネジ部
１１    ビス部材
１２    環状溝部
１３    排水栓本体
１４    弁部材
１４ａ  弁体
１４ｂ  弁嵌合部
１５    弁支持部材
１６    レリースワイヤ
１６ａ  アウターチューブ
１６ｂ  インナーワイヤ
１６ｃ  弁軸部
１７    エルボ部材
１８    排出口
１９    挿通筒
２０    ナット部材
２１    操作軸
２２    軸収納部
２３    切り欠き
２４    チューブ菅
Ｂ      浴槽
Ｈ      操作部取付孔
Ｐ      環状パッキング
【図１】
0005747199.tif 000002
【図２】
0005747199.tif 000003
【図３】
0005747199.tif 000004
【図４】
0005747199.tif 000005
【図５】
0005747199.tif 000006
【図６】
0005747199.tif 000007
【図７】
0005747199.tif 000008
【図８】
0005747199.tif 000009
【図９】
0005747199.tif 000010
【図１０】
0005747199.tif 000011
【図１１】
0005747199.tif 000012
【図１２】
0005747199.tif 000013
【図１３】
0005747199.tif 000014
【図１４】
0005747199.tif 000015
【図１５】
0005747199.tif 000016
【図１６】
0005747199.tif 000017
【図１７】
0005747199.tif 000018
【図１８】
0005747199.tif 000019